(57)【特許請求の範囲】
【請求項１】
偏心分銅付きモータを含む振動発生装置と、
前記モータを収容するモータ収容部、および、前記モータの駆動用電池を収容する電池収容部を有する本体ケースと、
前記本体ケースの先端部への取り付け、および、前記本体ケースの先端部からの取り外しが可能な歯ブラシと、
前記本体ケースの基端部が挿入され、前記電池収容部を収容する把持部ケースと、
その開口端面が前記把持部ケースの開口端面と接触し、前記本体ケースの先端部に取り付けられた前記歯ブラシを収容するキャップと、
前記把持部ケースと前記本体ケースとの間に配置された弾性部材と
を有し、
前記把持部ケースの外周面が前記本体ケースの外周面よりも外方に突出している
電動歯ブラシ。
【請求項２】
前記本体ケースは、前記モータ収容部をその一端に有し、前記電池収容部をその他端に有するインナーケースと、前記モータ収容部を覆うように前記把持部ケースの開口端面側に配置されるアウターケースとを有し、
前記把持部ケースの外周面は、前記本体ケースの外周面である前記アウターケースの外周面よりも外方に突出している
請求項１に記載の電動歯ブラシ。
【請求項３】
前記アウターケースは、前記歯ブラシの取り付け、および、前記歯ブラシの取り外しが可能なブラシ取付軸筒を有し、
前記インナーケースは、前記モータ収容部が前記ブラシ取付軸筒内に圧入嵌着されるように前記アウターケースに収容され、
前記弾性部材は、前記把持部ケースと前記インナーケースの電池収容部との間に配置されている
請求項２に記載の電動歯ブラシ。
【請求項４】
前記アウターケースと前記インナーケースとの間に第２の弾性部材が配置されている
請求項２または３に記載の電動歯ブラシ。
【請求項５】
前記第２の弾性部材がシール機能を有するＯリングである
請求項４に記載の電動歯ブラシ。
【請求項６】
前記弾性部材がシール機能を有するＯリングである
請求項１〜５のいずれか一項に記載の電動歯ブラシ。
【請求項７】
前記キャップの外形が前記把持部ケースの外形と同一形状である
請求項１〜６のいずれか一項に記載の電動歯ブラシ。
【発明の詳細な説明】
【技術分野】
【０００１】
本発明は、電動歯ブラシに関する。
【背景技術】
【０００２】
従来、歯ブラシにおいて、モータにて偏心分銅を回転させることによって同モータを振動させその振動を歯ブラシの歯ブラシ毛に伝えて手磨きに対して歯垢除去性能を向上させた電動歯ブラシが種々提案されている（例えば、特許文献１）。
【０００３】
また、近年、口腔衛生に対する意識が高まり、お昼磨きといった勤め先での歯磨きや、旅行先での歯磨きが行われるようになっている。これにともない、家庭内だけでなく、勤め先や、旅行先等で歯を磨く場合にも、歯垢除去性能に優れた電動歯ブラシの使用が多くなってきている。
【先行技術文献】
【特許文献】
【０００４】
【特許文献１】特開平９−１６８５５４号公報
【発明の概要】
【発明が解決しようとする課題】
【０００５】
ところで、電動歯ブラシは、偏心分銅付きのモータからなる振動発生装置や、その振動発生装置を駆動させるための電池等を装備しなければならず、その分サイズが大きくなり、バック、ポーチ、ポケットに入れて持ち運ぶには嵩張り不便であった。
【０００６】
そのため、電動歯ブラシは、歯の擦掃性能を落とすことなく小型で携帯性に優れた電動歯ブラシが求められている。
しかしながら、携帯性を追求し電動歯ブラシをより小型化にすると、小さくなった把持部にモータの振動がより強く伝わり、持つ手に強い振動を感じ磨き勝手が悪かった。そこで、モータの振動を小さくすることも考えられるが、歯の擦掃性能が落ちるためモータの振動を落としたくない。
【０００７】
本発明は、上記問題を解決するためになされたものであり、その目的は、歯の擦掃性能の優れ、磨き勝手のよい電動歯ブラシを提供することにある。
【課題を解決するための手段】
【０００８】
〔１〕本電動歯ブラシの独立した一形態によれば、偏心分銅付きモータを含む振動発生装置と、前記モータを収容するモータ収容部、および、前記モータの駆動用電池を収容する電池収容部を有する本体ケースと、前記本体ケースの先端部への取り付け、および、前記本体ケースの先端部からの取り外しが可能な歯ブラシと、前記本体ケースの基端部が挿入され、前記電池収容部を収容する把持部ケースと、その開口端面が前記把持部ケースの開口端面と接触し、前記本体ケースの先端部に取り付けられた前記歯ブラシを収容するキャップと、前記把持部ケースと前記本体ケースとの間に配置された弾性部材とを有し、前記把持部ケースの外周面が前記本体ケースの外周面よりも外方に突出している。
〔２〕前記電動歯ブラシに従属する一形態によれば、前記本体ケースは、前記モータ収容部をその一端に有し、前記電池収容部をその他端に有するインナーケースと、前記モータ収容部を覆うように前記把持部ケースの開口端面側に配置されるアウターケースとを有し、前記把持部ケースの外周面は、前記本体ケースの外周面である前記アウターケースの外周面よりも外方に突出している。
〔３〕前記電動歯ブラシに従属する一形態によれば、前記アウターケースは、前記歯ブラシの取り付け、および、前記歯ブラシの取り外しが可能なブラシ取付軸筒を有し、前記インナーケースは、前記モータ収容部が前記ブラシ取付軸筒内に圧入嵌着されるように前記アウターケースに収容され、前記弾性部材は、前記把持部ケースと前記インナーケースの電池収容部との間に配置されている。
〔４〕前記電動歯ブラシに従属する一形態によれば、前記アウターケースと前記インナーケースとの間に第２の弾性部材が配置されている。
〔５〕前記電動歯ブラシに従属する一形態によれば、前記第２の弾性部材がシール機能を有するＯリングである。
〔６〕前記電動歯ブラシに従属する一形態によれば、前記弾性部材がシール機能を有するＯリングである。
〔７〕前記電動歯ブラシに従属する一形態によれば、前記キャップの外形が前記把持部ケースの外形と同一形状である。
【０００９】
〔１〕の電動歯ブラシによれば、把持部ケースと本体ケースとの間に弾性部材が配置されているため、モータ収容部に収容されたモータの振動が把持部ケースに伝わり難くなる。このため、モータの振動が歯ブラシ側に集中して伝わりやすくなる。このため、歯の擦掃性能が向上し、把持部ケースを握る手に振動が伝達されにくくなり、歯を快適に磨きやすくなる。
〔４〕の電動歯ブラシによれば、アウターケースとインナーケースとの間に第２の弾性部材が配置されているため、モータの振動がアウターケースに伝わり難くなる。このため、モータの振動が歯ブラシ側に集中して伝わりやすくなり、歯の擦掃性能が向上する。
〔５〕の電動歯ブラシによれば、電動歯ブラシが水洗いされたとき、アウターケースとインナーケースとの間から本体ケース内に水が進入しにくくなる。
〔６〕の電動歯ブラシによれば、電動歯ブラシが水洗いされたとき、把持部ケースと本体ケースとの間から本体ケース内に水が進入しにくくなる。
〔７〕の電動歯ブラシによれば、本体ケースにキャップが取り付けられているとき、キャップの外周面と把持部ケースの外周面とが面一の関係を形成する。このため、電動歯ブラシの外周面が平滑な面を形成する。このため、電動歯ブラシがポーチまたはポケット等に収納されているとき、電動歯ブラシに周囲の物体が引っ掛かかるおそれ、または、キャップが本体ケースから外れるおそれが低減される。
【発明の効果】
【００１７】
本発明によれば、小型で携帯性に優れ、歯の擦掃性能の優れ、磨き勝手のよい電動歯ブラシにすることができる。
【図面の簡単な説明】
【００１８】
【図１】第１実施形態の電動歯ブラシの側面図。
【図２】歯ブラシが取り外された電動歯ブラシの側面図。
【図３】キャップが装着された電動歯ブラシの側面図。
【図４】図３の電動歯ブラシの正面図。
【図５】図３の電動歯ブラシの断面図。
【図６】図５の一部の拡大図。
【図７】変形例の電動歯ブラシの断面図。
【発明を実施するための形態】
【００１９】
以下、本発明を具体化した第１実施形態を図面に従って説明する。
電動歯ブラシ１は、図１に示すように、本体ケース２と、本体ケース２の基端側に外嵌される把持部ケース４と、本体ケース２の先端側に外嵌される歯ブラシ５、図３に示すように、歯ブラシ５を装着した本体ケース２に外嵌されるキャップ６を有している。
【００２０】
本体ケース２は、図５、図６に示すように、アウターケース１０とインナーケース２０を有している。アウターケース１０は、インナーケース２０を収容し、インナーケース２０は、歯ブラシ５に振動を付与するための電気部品が収容されるようになっている。
【００２１】
アウターケース１０は、ＡＢＳ樹脂よりなる面取りした有蓋四角筒状のケースであって、その上側部を縮径してブラシ取付軸筒１１を形成している。ブラシ取付軸筒１１は、有蓋円筒状の軸筒であって、その内部の円筒状の空間Ｓ１（図６参照）はアウターケース１０の四角筒状の空間Ｓ２（図６参照）と連通している。また、ブラシ取付軸筒１１は、図２に示すように、その中心軸線Ｃ１がアウターケース１０の中心軸線Ｃ１に対してアウターケース１０の後面１０ａ側に偏倚するよう、アウターケース１０の上面に形成されている。
【００２２】
アウターケース１０の前面１０ｂには、貫通口１２が貫通形成され、その貫通口１２は可撓性のスイッチ部材１３にて閉塞されている。スイッチ部材１３は、エラストマー樹脂よりなり、貫通口１２の開口縁に対して融着させている。従って、指で外部から貫通口１２を閉塞したスイッチ部材１３を空間Ｓ２内に向かって押し込むことができる。
【００２３】
アウターケース１０の空間Ｓ１，Ｓ２には、インナーケース２０が収容されている。インナーケース２０は、ＡＢＳ樹脂よりなり、略中央位置に面取りした四角筒状の胴部２１が形成されている。胴部２１の外形は、アウターケース１０の内周面と同一形状であって、胴部２１は、その略上半分がアウターケース１０の空間Ｓ２に内装されるようになっている。
【００２４】
胴部２１の下部には、有底筒体を半割して後側が開放してなる電池収容部２２が延出形成されている。電池収容部２２は、胴部２１の略上半分がアウターケース１０の空間Ｓ２に内装されたとき、アウターケース１０の下側から下方に向かって露出するようになっている。電池収容部２２は、その底部に陽極端子金具２３が設けられ、上部に胴部２１から延びる陰極端子バネ２４が設けられている。そして、電池収容部２２に、単４形の電池Ｂが収容されると、電池Ｂは陽極端子金具２３及び陰極端子バネ２４と電気的に接続された状態で電池収容部２２内に収容保持される。
【００２５】
胴部２１の上側には、基板固定部２５が延出形成されている。基板固定部２５は、胴部２１の略上半分がアウターケース１０の空間Ｓ２に内装されたとき、アウターケース１０に設けたスイッチ部材１３と相対向する位置に配置されるようになっている。基板固定部２５は、プリント配線基板２６が固設されている。プリント配線基板２６には、陽極端子金具２３及び陰極端子バネ２４と電気的に接続されているスイッチＳＷが実装されている。そして、プリント配線基板２６に実装されたスイッチＳＷは、アウターケース１０に設けたスイッチ部材１３と相対向する位置に実装されている。従って、スイッチ部材１３を指で押すと、スイッチＳＷは押し込まれたスイッチ部材１３にてオン・オフ動作する。
【００２６】
基板固定部２５の上側には、有蓋筒体を半割して後側が開放してなるモータ収容部２７が延出形成されている。モータ収容部２７は、胴部２１がアウターケース１０の空間Ｓ２に内装されたとき、ブラシ取付軸筒１１の空間Ｓ１に内装されるようになっている。モータ収容部２７がブラシ取付軸筒１１の空間Ｓ１に内装されたとき、モータ収容部２７の外周面は、ブラシ取付軸筒１１の内周面と密着するようになっている。
【００２７】
モータ収容部２７には、モータＭが収容される。モータ収容部２７に収容されたモータＭは、モータ収容部２７がブラシ取付軸筒１１の空間Ｓ１に内装されたとき、モータ収容部２７から開放された部分の外周面がスペーサ２８を介してブラシ取付軸筒１１の内周面と当接するようになっている。モータＭの回転軸は、モータ収容部２７に上面から空間Ｓ１内に突出させ、その突出した回転軸に偏心分銅２９を固着させている。
【００２８】
モータＭは、プリント配線基板２６に実装されたスイッチＳＷをオンさせると、電池Ｂの電圧が印加されて回転する。モータＭが回転すると、回転軸に固着した偏心分銅２９が回転軸を回転中心に偏心回転し、その偏心回転により回転軸が振られてモータ収容部２７に収容保持されたモータＭ自身が振動する。そして、このモータＭの振動は、モータ収容部２７を介して、同モータ収容部２７と密接しているブラシ取付軸筒１１に伝搬されることになる。
【００２９】
インナーケース２０の胴部２１の外周面は、アウターケース１０に内装される上半分が、アウターケース１０に内装されない下半分より縮径されている。これによって、インナーケース２０のモータ収容部２７をアウターケース１０の上半分を空間Ｓ２及びインナーケース２０の基板固定部２５を空間Ｓ２に内装したとき、胴部２１の下半分の外周面がアウターケース１０の内周面に係合し、インナーケース２０のそれ以上の進入を規制するようになっている。つまり、インナーケース２０は、胴部２１の上半分がアウターケース１０に内装され、胴部２１の下半分及び電池収容部２２がアウターケース１０から露出することになる。
【００３０】
胴部２１の上半分の外周面には上側環状溝３０が形成され、上側環状溝３０には第２の弾性部材としてのシールリングＲ１が嵌着されている。シールリングＲ１は、ゴム製のＯリングよりなり、上側環状溝３０に嵌着した状態でその外側部分が胴部２１の外周面より突出するようになっている。従って、インナーケース２０（胴部２１）がアウターケース１０に内装されるとき、上側環状溝３０のシールリングＲ１がアウターケース１０の内周面にて弾性変形して、インナーケース２０（胴部２１）とアウターケース１０との間を、水密かつ弾性支持している。
【００３１】
胴部２１の下半分の外周面には下側環状溝３１が形成され、下側環状溝３１には弾性部材としての弾性リングＲ２が嵌着されている。弾性リングＲ２は、弾性を有した合成樹脂製のリングであって、本実施形態では、シール材として利用されるゴム製のＯリングを使用している。弾性リングＲ２は、下側環状溝３１に嵌着した状態でその外側部分が胴部２１の外周面より突出するようになっている。
【００３２】
このように形成された本体ケース２は、下側に把持部ケース４が装着され、上側に歯ブラシ５が装着される。
把持部ケース４は、ＡＢＳ樹脂よりなる面取りした有底四角筒状のケースであって、その内部空間に上部開口部から本体ケース２を構成するインナーケース２０の電池収容部２２が装着される。把持部ケース４の上部開口部の内周面形状は、胴部２１の下半分の外周面形状と同一形状であって、胴部２１の下半分が把持部ケース４に内装されるようになっている。
【００３３】
このとき、アウターケース１０は、把持部ケース４に内装されず、アウターケース１０の開口部端面１５は、把持部ケース４の開口部端面４１と当接するようになっている。把持部ケース４の外径は、アウターケース１０の外径よりも大きく形成されている。従って、アウターケース１０の開口部端面１５と把持部ケース４の開口部端面４１とを合わせたとき、把持部ケース４の外周面が、アウターケース１０の外周面より外方に突出する。そして、外側に露出した把持部ケース４の開口部端面４１は段差面４１ａとなる。
【００３４】
また、インナーケース２０（胴部２１）が把持部ケース４に内装されるとき、下側環状溝３１の弾性リングＲ２が把持部ケース４の上部開口部内面にて弾性変形して、インナーケース２０（胴部２１）と把持部ケース４との間を、水密かつ弾性支持している。そして、本体ケース２を把持部ケース４に装着することによって、把持部ケース４によって電動歯ブラシ１の把持部が形成されるとともに、電池収容部２２に収容保持された電池Ｂは把持部ケース４によって密閉収納される。
【００３５】
本体ケース２の上側に装着される歯ブラシ５は、保持部５１を有し、その保持部５１の先端部にブラシ毛５２が植設されている。保持部５１は、その基端の外形がアウターケース１０の外形と同一形状であって、その基端の下端面５３には、嵌着孔５４が形成されている。嵌着孔５４は、アウターケース１０に形成したブラシ取付軸筒１１が着脱自在に圧入嵌着される。嵌着孔５４の内周面は、ブラシ取付軸筒１１が嵌着された時、ブラシ取付軸筒１１の外周面が密着される。従って、モータ収容部２７を介してブラシ取付軸筒１１に伝搬されるモータＭの振動は、歯ブラシ５の保持部５１を介して先端部のブラシ毛５２に伝搬される。
【００３６】
保持部５１は、その基端から先端部に向かって細くなるように形成されている。詳述すると、保持部５１の前面が後面側に、また、左右両側面が互いに近づくように形成されている。つまり、保持部５１の先端部は、その先端部後面５１ａがブラシ取付軸筒１１の中心軸線Ｃ１より後側であってアウターケース１０の後面１０ａより前側に位置するように配置され、植設したブラシ毛５２の毛先が、アウターケース１０の前面１０ｂよりはみ出さないようにしている。また、保持部５１の先端部を後方位置に配置されるように、保持部５１の前面を後面側に後退させたので、歯を磨く時、保持部５１の前面が張り出していることにより、歯がその張り出し部分に当たって磨き難くなるのを防止している。
【００３７】
さらに、ブラシ取付軸筒１１内に、振動源のモータＭを収納し、そのブラシ取付軸筒１１に歯ブラシ５の保持部５１を圧入嵌着したので、ブラシ取付軸筒１１の長さ分（ブラシ取付軸筒１１と保持部５１の重合分）、保持部５１の先端を本体ケース２側に近づける（縮める）ことができる。その結果、電動歯ブラシ１の全長を短くでき、ポーチやポケットに入りやすく携帯性に優れたものとなる。
【００３８】
本体ケース２に装着された歯ブラシ５は、キャップ６にて収納される。キャップ６は、ＡＢＳ樹脂よりなる面取りした有蓋四角筒状のケースであって、その内部空間に下部開口部から歯ブラシ５及び本体ケース２が挿入される。キャップ６の下部開口部の内周面形状は、本体ケース２の外周面形状と同一形状であって、キャップ６の下端面６１は、キャップ６を本体ケース２に装着したとき、把持部ケース４の開口部端面４１（段差面４１ａ）に当接し、それ以上の進入を規制するようになっている。
【００３９】
また、キャップ６の外形は、把持部ケース４の外形と同一形状であって、キャップ６を本体ケース２に装着したとき、図３、図４に示すように、キャップ６の外周面と把持部ケース４の外周面とが面一になるようにしている。これによって、電動歯ブラシ１の外周面は、平滑な面となり、電動歯ブラシ１をポーチやポケットに収納したとき、周囲のものを引っ掛かけたり、逆にキャップ６が外れたりする虞がない。
【００４０】
さらに、キャップ６を本体ケース２に装着したとき、本体ケース２に設けたスイッチ部材１３はキャップ６に内包される。そのため、電動歯ブラシ１をポーチやポケットに収納したとき、スイッチ部材１３が誤ってオン操作されることはない。
【００４１】
次に、上記のように構成した電動歯ブラシ１に効果について以下に述べる。
（１）本実施形態によれば、本体ケース２の先端に歯ブラシ５（保持部５１）を着脱可能に取着するブラシ取付軸を筒状のブラシ取付軸筒１１にし、そのブラシ取付軸筒１１内の空間Ｓ１に振動を発生する偏心分銅２９を取着したモータＭを配置した。従って、ブラシ取付軸筒１１の長さ分、歯ブラシ５の先端を本体ケース２側に近づけることができる。その結果、電動歯ブラシ１は、その全長を短くでき、ポーチやポケットに入りやすく携帯性に優れたものとなる。
【００４２】
（２）本実施形態によれば、振動を発生する偏心分銅２９を取着したモータＭを内側に配置したブラシ取付軸筒１１に歯ブラシ５（保持部５１）を取着した。従って、歯ブラシ５の先端部に植設したブラシ毛５２を、モータＭにより近づけることができた。その結果、モータＭの振動が減衰し難く、効率よくブラシ毛５２に伝わるので、歯の擦掃性能をより向上させることができる。
【００４３】
（３）本実施形態によれば、ブラシ取付軸筒１１内に配置された振動を発生するモータＭは、手で持ち固定される把持部ケース４からより遠い位置に位置するので、歯ブラシ５先端部の動きを大きくすることができ、歯の擦掃性能にさらに向上させることができる。
【００４４】
（４）本実施形態によれば、ブラシ取付軸筒１１を、本体ケース２の後面１０ａ側に偏倚して、ブラシ毛５２を保持する保持部５１の基端部の前面を後面側に後退させるようにした。そして、歯ブラシ５に保持部５１を、基端から先端部に向かって細く、しかも、保持部５１の前面が後面側に近づくように形成した。その結果、歯を磨く時、歯ブラシ５の保持部５１が前面に張り出さなくなり、歯がその張り出し部分に当たって磨き難くなることはない。
【００４５】
（５）本実施形態によれば、本体ケース２を、ブラシ取付軸筒１１を有したアウターケース１０と、一端にモータＭを収容するモータ収容部２７を、他端に電池Ｂを収容する電池収容部２２を有するインナーケース２０とから構成した。従って、インナーケース２０をアウターケース１０に収容するだけで、モータＭを収容した状態でモータ収容部２７をアウターケース１０のブラシ取付軸筒１１内に圧入嵌着でき、モータＭのブラシ取付軸筒１１への組み付けが容易となる。
【００４６】
（６）本実施形態によれば、本体ケース２、即ち、インナーケース２０の胴部２１と把持部ケース４の間に弾性リングＲ２を介在させた。そして、インナーケース２０（胴部２１）を把持部ケース４に内装したとき、弾性リングＲ２が把持部ケース４の上部開口部内面にて弾性変形して、インナーケース２０と把持部ケース４との間を、水密かつ弾性支持するようにした。
【００４７】
従って、インナーケース２０のモータ収容部２７に収容されたモータＭの振動が弾性リングＲ２にて把持部ケース４に伝わり難くなり、歯ブラシ５側に集中して伝わる。その結果、歯の擦掃性能にさらに向上させることができるとともに、把持部ケース４を把持する手への振動が低減され快適に歯を磨くことができる。
【００４８】
しかも、弾性リングＲ２はシール性を有しているため、水洗いしたとき、把持部ケース４とインナーケース２０の間を通って本体ケース２内への水の進入を防止することができる。
【００４９】
（７）本実施形態によれば、本体ケース２のアウターケース１０とインナーケース２０の胴部２１の間にシールリングＲ１を介在させた。電動歯ブラシ１を水洗いしたとき、アウターケース１０とインナーケース２０の間を通って本体ケース２内への水の進入を防止することができる。
【００５０】
しかも、インナーケース２０のモータ収容部２７に収容されたモータＭの振動がシールリングＲ１にてアウターケース１０に伝わり難くなり、歯ブラシ５側に集中して伝わる。その結果、歯の擦掃性能にさらに向上させることができるとともに、アウターケース１０を把持する手への振動が低減され快適に歯を磨くことができる。
【００５１】
（８）本実施形態によれば、本体ケース２に装着された歯ブラシ５は、不使用時にはキャップ６にて収納されるようにした。電動歯ブラシ１を携帯する際。歯ブラシ５（ブラシ毛５２）は周囲のものに触れることなくなることから、歯ブラシ５が汚れたり、ポーチやポケット等を汚したりせず衛生が保たれるとともに、ブラシ毛５２を変形させず保護でき、高い擦掃性能を維持することができる。また、スイッチ部材１３が周囲のものによって誤操作されることはない。
【００５２】
しかも、キャップ６の外形は、本体ケース２に装着したとき、キャップ６の外周面と把持部ケース４の外周面とが面一になるようにした。これによって、電動歯ブラシ１の外周面は、平滑な面となり、電動歯ブラシ１をポーチやポケットに収納したとき、周囲のものを引っ掛かけたり、逆にキャップ６が外れたりするのを防止することができる。
【００５３】
尚、上記実施形態は以下のように変更してもよい。
・上記実施形態では、本体ケース２をアウターケース１０とインナーケース２０の２つの部材で形成した。これを、アウターケース１０とインナーケース２０を一体にした本体ケース２にして実施してもよい。このようにすることによって、部品点数の削減、シールリングＲ１の削減を図ることができる。
【００５４】
・上記実施形態では、インナーケース２０の胴部２１と把持部ケース４の間に弾性リングＲ２を介在させた。これを、リング状のものではなく、周方向に所定の間隔をおいて、弾性部材を配置して実施してもよい。
【００５５】
・上記実施形態では、インナーケース２０の胴部２１と把持部ケース４の間に介在させた弾性リングＲ２は、弾性及び水に対するシール性を有するＯリングを使用した。これを、弾性のみで、水に対するシール性を有さない弾性部材を使用して実施してもよい。
・上記実施形態では、把持部ケース４と本体ケース２のインナーケース２０との間に、弾性リングＲ２を介在させた。これを、図７に示すように、本体ケース２のアウターケース１０の下側部分を把持部ケース４に挿入し、その把持部ケース４とアウターケース１０との間に弾性リングＲ２に相当する弾性部材Ｒ３を介在させてもよい。
【００５６】
課題を解決するための手段の一例を付記する。
〔付記１〕偏心分銅付きモータを含む振動発生装置と、前記モータを収容するモータ収容部、および、前記モータの駆動用電池を収容する電池収容部を有する本体ケースと、前記本体ケースの先端部への取り付け、および、前記本体ケースの先端部からの取り外しが可能な歯ブラシと、前記本体ケースの基端部が挿入され、前記電池収容部を収容する把持部ケースと、その開口端面が前記把持部ケースの開口端面と接触し、前記本体ケースの先端部に取り付けられた前記歯ブラシを収容するキャップと、前記把持部ケースと前記本体ケースとの間に配置された弾性部材とを有し、前記本体ケースは、前記把持部ケースから突出している部分の先端に、前記歯ブラシの取り付け、および、前記歯ブラシの取り外しが可能なブラシ取付軸筒を有し、前記モータ収容部は、前記ブラシ取付軸筒内に収容されている電動歯ブラシ。
〔付記２〕前記本体ケースは、前記把持部ケースから突出している部分のうちの前記ブラシ取付軸筒と前記把持部ケースとの間に前記ブラシ取付軸筒よりも太い部分を有する〔付記１〕に記載の電動歯ブラシ。
〔付記３〕前記本体ケースは、前記ブラシ取付軸筒を有するアウターケースと、前記モータ収容部をその一端に有し、前記電池収容部をその他端に有するインナーケースとを有する〔付記１〕または〔付記２〕に記載の電動歯ブラシ。
〔付記４〕偏心分銅付きモータを含む振動発生装置と、前記モータを収容するモータ収容部をその先端側に有し、前記モータの駆動用電池を収容する電池収容部をその基端側に有する本体ケースと、前記本体ケースの先端部への取り付け、および、前記本体ケースの先端部からの取り外しが可能な歯ブラシと、前記本体ケースの基端部が挿入され、前記電池収容部を収容する把持部ケースと、その開口端面が前記把持部ケースの開口端面と接触し、前記本体ケースの先端部に取り付けられた前記歯ブラシを収容するキャップと、前記把持部ケースと前記本体ケースとの間に配置された弾性部材とを有し、前記本体ケースは、前記歯ブラシの取り付け、および、前記歯ブラシの取り外しが可能なブラシ取付軸筒を有するアウターケースと、前記モータ収容部をその一端に有し、前記電池収容部をその他端に有するインナーケースとを含み、前記インナーケースは、前記モータ収容部が前記アウターケースのブラシ取付軸筒内に圧入嵌着されるように前記アウターケースに収容され、前記弾性部材は、前記把持部ケースと前記インナーケースの電池収容部との間に配置されている電動歯ブラシ。
〔付記５〕前記アウターケースと前記インナーケースとの間に第２の弾性部材が配置されている〔付記３〕または〔付記４〕に記載の電動歯ブラシ。
〔付記６〕前記第２の弾性部材がシール機能を有するＯリングである〔付記５〕に記載の電動歯ブラシ。
〔付記７〕前記弾性部材がシール機能を有するＯリングである〔付記１〕〜〔付記６〕のいずれか一項に記載の電動歯ブラシ。
〔付記８〕前記キャップの外形が前記把持部ケースの外形と同一形状である〔付記１〕〜〔付記７〕のいずれか一項に記載の電動歯ブラシ。
【符号の説明】
【００５７】
１…電動歯ブラシ
２…本体ケース
４…把持部ケース
５…歯ブラシ
６…キャップ
１０…アウターケース
１１…ブラシ取付軸筒
２０…インナーケース
２２…電池収容部
２７…モータ収容部
４１…開口部端面（開口端面）
Ｂ…電池
Ｍ…モータ
Ｒ１…シールリング（第２の弾性部材）
Ｒ２…弾性リング（弾性部材）
【図１】
0005547468.tif 000002
【図２】
0005547468.tif 000003
【図３】
0005547468.tif 000004
【図４】
0005547468.tif 000005
【図５】
0005547468.tif 000006
【図６】
0005547468.tif 000007
【図７】
0005547468.tif 000008